(57)【要約】【課題】  トレーの筐体内への収納を多数回繰り返してもフレキシブルケーブルがその補強部によって断線し難く、寿命の長い光ディスク装置を提供する。【解決手段】  光ディスクを装着することが可能な第１の位置と、装着された光ディスクから情報を読み取るための第２の位置との間で、移動可能に設けられたトレー２０と、トレーを摺動可能に支持し電子回路基板等を備えた筐体１０とを備えた光ディスク装置であって、トレーは、光ディスクから情報を読み取るピックアップ３０、ディスクモータ３１、及び、これらを制御する制御部を含む各種部品を搭載しており、かつ、筐体内で屈曲された状態で配設されるフレキシブルケーブルを介して電気的に接続され、トレーが第１の位置と第２の位置との間を移動する際、トレーの移動に伴って移動するフレキシブルケーブルの屈曲範囲の一部に、端部を波形にして応力を分散するための形状とした補強シート５０を添着した。【選択図】      図３
2006018870.tif 000002
【特許請求の範囲】
【請求項１】
光ディスクを装着することが可能な第１の位置と、前記装着された光ディスクから情報を読み取るための第２の位置との間で、移動可能に設けられたトレーと、前記トレーを摺動可能に支持し、その一部に電子回路基板を備えた筐体とを備えた光ディスク装置であって、前記トレーは、少なくとも、前記装着された光ディスクから情報を読み取るピックアップ部、光ディスクを回転駆動するディスクモータ、及び、これらを制御する制御部を含む部品を搭載しており、かつ、前記トレーに搭載された前記部品の一部は、前記筐体内で屈曲された状態で配設されるフレキシブルケーブルを介して前記筐体の前記電子回路基板との間で電気的に接続されたものにおいて、
前記トレーが前記第１の位置と前記第２の位置との間を移動する際、前記トレーの移動に伴って移動する前記フレキシブルケーブルの屈曲範囲の一部において、前記フレキシブルケーブルの少なくとも一方の面に補強部を形成すると共に、前記補強部の端部を、前記フレキシブルケーブルが屈曲する際の応力を分散する形状に形成したことを特徴とする光ディスク装置。
【請求項２】
前記請求項１に記載した光ディスク装置において、前記補強部は、前記トレーが前記第１の位置に在る時に前記フレキシブルケーブルが屈曲する位置から、前記トレーが前記第２の位置に至る略中間位置において前記フレキシブルケーブルが屈曲する位置までの間に形成されており、前記応力分散形状に形成した前記補強部の端部は、前記トレーが前記第２の位置に至る略中間位置において前記フレキシブルケーブルが屈曲する位置に対応していることを特徴とする光ディスク装置。
【請求項３】
前記請求項１に記載した光ディスク装置において、前記補強部の端部に形成する応力を分散するための形状を波形にしたことを特徴とする光ディスク装置。
【請求項４】
前記請求項３に記載した光ディスク装置において、前記補強部の端部に形成した波形形状を、０．５ｍｍ〜１０ｍｍの高さで形成したことを特徴とする光ディスク装置。
【請求項５】
前記請求項１に記載した光ディスク装置において、前記補強部をフィルムにより形成し、そのフィルムの厚さを、前記フレキシブルケーブルの厚さの１．５〜０．５倍程度にしたことを特徴とする光ディスク装置。
【請求項６】
前記請求項１に記載した光ディスク装置において、前記筐体の厚さが、１３ｍｍ〜６ｍｍ程度であることを特徴とする光ディスク装置。
【請求項７】
前記請求項１〜６のいずれかに記載の光ディスク装置において使用されるフレキシブルケーブルであって、当該フレキシブルケーブルが接続される前記装置内の部品が移動するに際し、前記部品の移動に伴って移動する前記フレキシブルケーブルの屈曲範囲の一部において、前記フレキシブルケーブルの少なくとも一方の面に補強部を形成すると共に、前記補強部の端部を、前記フレキシブルケーブルが屈曲する際の応力を分散する形状に形成したことを特徴とするフレキシブルケーブル。
【発明の詳細な説明】
【技術分野】
【０００１】
本発明は光ディスク装置に係り、特に、フレキシブルケーブルを用いることにより、ディスクトレーを薄型の筐体内に収納する光ディスク装置及びそれに使用するフレキシブルケーブルに関する。
【背景技術】
【０００２】
近年、光ディスク装置は、大量の情報が記録可能な記録媒体として広く利用されており、例えばＣＤ−ＲＯＭやＤＶＤなど（以下、単に、光ディスクと言う）、パーソナルコンピュータの外部記憶媒体としても広く利用されている。
【０００３】
一方、かかる光ディスク装置が組み込まれるノート型パーソナルコンピュータにおいては、その小型化、薄型化の要求に伴って、光ディスク装置自体の薄型化が図られており、そのため、光ディスクが載置されるディスクトレーとディスクトレーを摺動可能に支持する筐体との間に形成される空間が狭くなっている。
【０００４】
そのため、例えば、以下の特許文献１によって既に知られるように、光ディスクを装着するためのディスクトレーがディスクの着脱を行うイジェクト位置と、一方、ディスクに記憶された情報を読み取る再生位置との間において、摺動可能に設けられたものがある。すなわち、光ディスク装置を構成するディスクトレーにはディスクを載置し、回転させるターンテーブルやディスクに記録された情報を光学的に検出するピックアップ部等が設けられており、そして、このトレーと筐体との間には、上記のフレキシブルケーブルが配設されている。このフレキシブルケーブルは、トレーと筐体との位置関係に応じて湾曲した状態で配設されている。更に、このフレキシブルケーブルは、トレーに配設された基板と筐体内に配設された基板とを電気的に接続しており、トレーが移動する際、湾曲部がディスクトレーの摺動に追従して筐体内を移動する。
【０００５】
しかしながら、上述したように、光ディスク装置の薄型化により、筐体内部は狭く、そのため、フレキシブルケーブルが緩やかに撓むことができず、従って、トレーが筐体内に収納される時にはフレキシブルケーブルの湾曲部が筐体内面に接触する場合があり、逃げ場を失ったフレキシブルケーブルの一部分が、筐体内面との接触による抵抗で、トレーと筐体との隙間からはみ出てしまう。更には、トレーが筐体内へ移動し続けると、トレー後縁部と筐体前縁部との間で、前記フレキシブルケーブルのはみ出た部分を挟んでしまうという問題が生ずる。このように、特に、薄型の光ディスク装置では、そのフレキシブルケーブルが挟まれた場合、トレーが完全に筐体内に収納されないばかりか、フレキシブルケーブル自体に損傷を与えてしまう恐れがある。
【０００６】
そこで、上記の特許文献１によれば、上記フレキシブルケーブルに樹脂等の薄板を貼り付けて補強を行うことにより、トレー内への収納時にスムースに収納でき、かつ、筐体への収納時にフレキシブルケーブルがディスクトレーと筐体との隙間からはみ出ることを防止するディスクドライブ装置が提供されている。
【０００７】
また、その他の関連技術として、例えば、以下の特許文献２〜４によれば、フレキシブル回路基板（フレキシブルケーブル）ではあるが、その先端に形成された端子をコネクタに抜き差しする場合の折り曲げストレスによる導体パターンの断線を防止するため、補強板を設けることが、更には、そのベースフィルムに加わるストレスがこの補強板の後端部付近に集中することを防止するため、開口穴や波形などの種々の端部形状を備えたものが、既に知られている。
【特許文献１】特開平１１−１４４４０３号公報
【特許文献２】特開平６−１５２０７７号公報
【特許文献３】特開平８−８８４４８号公報
【特許文献４】特開２０００−１２４５７３号公報
【発明の開示】
【発明が解決しようとする課題】
【０００８】
上述したように、特に、上記特許文献１により知られるディスクドライブ装置では、フレキシブルケーブルの屈曲部における機械的な強度を補強することにより、筐体への収納時にフレキシブルケーブルがディスクトレーと筐体との隙間からはみ出ることを防止することは出来る。しかしながら、その一方では、本発明者等により行われた試験によれば、フレキシブルケーブルが筐体内で屈曲する際、当該補強フィルムの端面において、応力が集中してしまうことが観察された。そのため、特に、薄型の光ディスク装置において、ディスクトレーの筐体内への収納を繰り返す（１〜２万回程度）ことにより、上記フレキシブルケーブルが当該補強フィルムの端面において断線してしまう現象が観察された。
【０００９】
そこで、本発明では、上述した従来技術における問題点に鑑み、特に、薄型の光ディスク装置に適し、フレキシブルケーブルに樹脂等の薄板を貼り付けて補強を行うことにより、筐体への収納時にフレキシブルケーブルがディスクトレーと筐体との隙間からはみ出ることを防止すると共に、ディスクトレーのトレー内へのスムースな収納を可能とし、かつ、ディスクトレーの筐体内への収納を多数回繰り返すことによってもフレキシブルケーブルが断線し難く、そのため、装置の寿命の長い光ディスク装置及びそれに使用するフレキシブルケーブルを提供することを目的とするものである。
【課題を解決するための手段】
【００１０】
すなわち、本発明によれば、上述の目的を達成するため、まず、光ディスクを装着することが可能な第１の位置と、前記装着された光ディスクから情報を読み取るための第２の位置との間で、移動可能に設けられたトレーと、前記トレーを摺動可能に支持し、その一部に電子回路基板を備えた筐体とを備えた光ディスク装置であって、前記トレーは、少なくとも、前記装着された光ディスクから情報を読み取るピックアップ部、光ディスクを回転駆動するディスクモータ、及び、これらを制御する制御部を含む部品を搭載しており、かつ、前記トレーに搭載された前記部品の一部は、前記筐体内で屈曲された状態で配設されるフレキシブルケーブルを介して前記筐体の前記電子回路基板との間で電気的に接続されたものにおいて、前記トレーが前記第１の位置と前記第２の位置との間を移動する際、前記トレーの移動に伴って移動する前記フレキシブルケーブルの屈曲範囲の一部において、前記フレキシブルケーブルの少なくとも一方の面に補強部を形成すると共に、前記補強部の端部を、前記フレキシブルケーブルが屈曲する際の応力を分散する形状に形成した光ディスク装置が提供される。
【００１１】
また、本発明によれば、より詳細には、前記に記載した光ディスク装置において、前記補強部は、前記トレーが前記第１の位置に在る時に前記フレキシブルケーブルが屈曲する位置から、前記トレーが前記第２の位置に至る略中間位置において前記フレキシブルケーブルが屈曲する位置までの間に形成されており、前記応力分散形状に形成した前記補強部の端部は、前記トレーが前記第２の位置に至る略中間位置において前記フレキシブルケーブルが屈曲する位置に対応していることが望ましい。
【００１２】
加えて、本発明によれば、前記に記載した光ディスク装置において、前記補強部の端部に形成する応力を分散するための形状を波形にし、更には、その波形形状を、０．５ｍｍ〜１０ｍｍの高さで形成することが好ましく、特に、０．５ｍｍ〜２ｍｍの高さで形成することが好ましい。また、前記補強部をフィルムにより形成し、そのフィルムの厚さを、前記フレキシブルケーブルの厚さの１．５〜０．５倍程度にすることが好ましい。そして、特に、本発明が適用される光ディスク装置としては、筐体の厚さが、１３ｍｍ〜６ｍｍ程度である、所謂、薄型の光ディスク装置であることが好ましい。
【００１３】
さらに、本発明によれば、前記に記載の光ディスク装置において使用されるフレキシブルケーブルであって、当該フレキシブルケーブルが接続される前記装置内の部品が移動するに際し、前記部品の移動に伴って移動する前記フレキシブルケーブルの屈曲範囲の一部において、前記フレキシブルケーブルの少なくとも一方の面に補強部を形成すると共に、前記補強部の端部を、前記フレキシブルケーブルが屈曲する際の応力を分散する形状に形成したフレキシブルケーブルが提供される。
【発明の効果】
【００１４】
即ち、以上から明らかなように、本発明になる光ディスク装置によれば、光ディスク装置に具備されるフレキシブルケーブルの補強部に、フレキシブルケーブルが屈曲する際の応力を分散する形状に形成した補強用フィルムを形成してその剛性を向上させていることから、トレーの筐体内への収納時に筐体内面とフレキシブルケーブルとの接触による摩擦力の抵抗で、トレーと筐体との間隙からフレキシブルケーブルがはみ出て、トレーと筐体とに挟まれてフレキシブルケーブルが損傷されることなく、かつ、当トレーの開閉（挿入／排出）の繰り返しによっても、該補強部によってフレキシブルケーブルへの応力が集中して断線状態となってしまうことなく、もって、トレーの挿入／排出の繰り返しにもかかわらず、光ディスク装置の寿命を改善することが可能となる。
【発明を実施するための最良の形態】
【００１５】
以下、本発明の実施の形態について、添付の図面を用いて詳細に説明する。なお、ここで、本実施の形態としては、例えば、ノート型パーソナルコンピュータのディスクドライブ装置として使用される、薄型の光ディスク装置であって、ＣＤ−ＲＯＭ（以下、「光ディスク」という）が装着される再生装置について説明する。しかしながら、本発明は、ＣＤ−ＲＯＭに限定されることなく、例えば、ＤＶＤを含めた光ディスク一般について記録／再生する装置にも適用することが出来ることは、以下の説明からも明あらかであろう。
【００１６】
まず、添付の図２には、本実施の形態になる光ディスク装置全体の内部構成が示されている。すなわち、図において、光ディスク装置１００は、大略すると、筐体（シャーシ）１０と、光ディスク（図示せず）が載置されるディスクトレー（以下「トレー」とする）２０を含むユニットから構成されている。また、上記筐体１０側には、上記トレー２０を摺動自在に支持するトレー摺動機構（レール）１１と、例えば、ＤＳＰ（Digital Signal Processor）等を含む電子回路部品１２を搭載したメイン基板１３と、更には、ノート型パーソナルコンピュータとのインターフェース部１４等が取り付けられている。また、図中の符号１５は、トレーの位置を検出するためのスイッチを示している。なお、ここでは、上記筐体本体１０を覆う天板は図示されていない。加えて、ここでは図示しないが、この筐体（シャーシ）１０側には、更に、トレー２０がディスクイジェクト位置（第１の位置）に移動したときにトレー２０を係止する係止機構や、トレー２０が筐体１０内のディスク再生位置（第２の位置）に移動したときにトレー２０をロックするロック機構等が設けられていることは、当業者であれば、当然のことであろう。
【００１７】
一方、トレー２０を含むユニット側には、前面ベゼル２１、トレー枠２２、駆動ユニット２３、図示しないサブシャーシ等から構成される。前面ベゼル２１はトレー枠２２の前端に固定され、トレー２０と一体的に、図中の矢印方向に摺動し、トレー２０が筐体１０内に収納された時は、蓋体として筐体１０を密閉する。また、この前面ベゼル２１の中央右には、トレー２０を筐体４内から引き出す際に、図示しないロック機構によるトレーのロックを解除させるためのスイッチボタン２４が設けられている。また、図に示すように、その上に光ディスクが載置されるディスク載置面２２ａは、光ディスクを取り出し易くするため、載置したディスクの一部がディスク枠２２からはみ出るように、即ち、光ディスクの外径よりも横幅寸法が小さくなるように形成されている。
【００１８】
また、トレー２０を含むユニット側には、図にも示すように、駆動ユニット２３が設けられており、この駆動ユニット２３は、サブシャーシの上方に固着され、ピックアップ３０と、モータ３１でスクリューシャフト（図示せず）を回転駆動させ、上記ピックアップ３０をディスク半径方向に移動させるピックアップ駆動部と、光ディスクを載置してクランプするクランプ機構を有するターンテーブル３４と、このターンテーブル３４を回転駆動させるターンテーブル駆動部等（図示せず）から構成されている。
【００１９】
なお、上記のピックアップ３０は、ターンテーブル３４上に載置されたディスクに対し、ピックアップ駆動部の働きによって近接し、光ディスクが記録している情報を、例えばレーザで光学的に読み取るものである。また、ピックアップ３０は、ディスク半径方向に延在するベースの開口２８ａに対向するように設けられ、その制御部であるピックアップ駆動部の駆動によってディスク半径方向に移動可能な構成とされている。また、上記ターンテーブル３４を含むターンテーブル駆動部は、図示しないが、モータを有し、トレー２０が所定のディスク再生位置に到着すると、ターンテーブル３４上にクランプされたディスクを一定の回転速度で定速駆動させる。そして、上記の筐体１０に設けられた基板１３と、このトレー２０が有する基板とを電気的に接続するため、以下に詳細を説明するフキシブルケーブル４０が設けられている。
【００２０】
なお、この図２には、トレー２０が筐体１０外に出たディスクイジェクト位置（第１の位置）に移動した状態を示しており、この状態で、光ディスクを取り出し、その後、新たに、光ディスクを光ディスク装置、即ち、そのトレー２０のディスク載置面２２ａの上に位置するように、ターンテーブル３４に装着することが出来る。その後、トレー２０は、手動操作で、例えば、ガイドレールからなるトレー摺動機構１１に支持され、図中の矢印方向に摺動して、装着した光ディスクに記録された情報を読み出す、所謂、ディスク再生位置（第２の位置）に至る。
【００２１】
一方、前述した前面ベゼル２１のスイッチボタン２４を押すと、例えば、枠体２２の底面に取り付けられたソレノイドの励磁によってプランジャを吸引し、ロックレバーが係止ローラから外れることによってロック解除状態となり、トレー２０が引き出され、上記図２に示した状態に至る。
【００２２】
次に、添付の図３は、本発明の要部を構成する上記フレキシブルケーブル４０の平面図であり、この図からも明らかなように、筐体１０のシャーシ底面に貼着された固定部４０ａと、その先端部がトレー２０側に接続され、その摺動に応じて移動する屈曲部を形成する可動部４０ｂと、これらを連結する部分４０ｃとからなり、その外形が略「Ｕ」字状に形成されている。フレキシブルケーブル４０は材料構成として、絶縁性を有するフィルム状の第一の絶縁層上に導電パターンが配置され、その上から前記導電パターンの保護のために絶縁性を有する第二の絶縁層で被膜したものが一般的である。尚、フレキシブルケーブル４０の絶縁層材料としては、ポリイミド、ポリエステル、ポリウレタン、アクリル等が使用されるが、光ディスク装置の使用温度、製造コスト等を考慮して適宜、材料を選択することが望ましい。
【００２３】
また、更に、上記フレキシブルケーブル４０の可動部４０ｂの一部には、その一方の面に、補強部である補強フィルム５０を添着している。この補強フィルム５０の詳細について、添付の図４〜６を参照して、以下に詳細に説明する。
【００２４】
まず、添付の図４には、上記にその構成を詳細に説明した本発明の実施の形態になる光ディスク装置１００において、上記図２に示した光ディスクを装置に装着可能な状態、即ち、トレー２０が筐体１０外に出たディスクイジェクト位置（第１の位置）である状態から、装着した光ディスクに記録された情報を読み出すディスク再生位置（第２の位置）の状態へ移動する途中の状態を示している。
【００２５】
また、添付の図６は上記トレー２０の摺動動作におけるフレキシブルケーブル４０の状態を示す断面図である。ここで、図６（ａ）は、トレー２０が筐体１０内から出された、ディスクイジェクト位置（第1の位置）にある状態を示し、また、図６（ｂ）は、上記トレー２０が筐体４内に収納の途中の状態を示す。なお、これら図６（ａ）及び（ｂ）では、フレキシブルケーブル４０には、上記の補強部である補強フィルム５０を添着していない状態について示している。これらの図からも明らかなように、上記補強フィルム５０を添着していないフレキシブルケーブル４０では、光ディスク装置１００の薄型化（例えば、厚さ（高さ）１３ｍｍ〜６ｍｍ程度）により、筐体１０の内部は狭く、フレキシブルケーブル４０の可動部４０ｂが緩やかに撓むことができない。そのため、トレー２０が筐体１０内に収納される時には、フレキシブルケーブル４０の可動部４０ｂにおける屈曲部Ｂが筐体内面１０ａに接触し、場合によっては、筐体内面１０ａとの接触による抵抗でトレー２０と筐体１０との隙間から、逃げ場を失ったフレキシブルケーブル４０の一部分がはみ出てしまう。更には、トレー２０が筐体１０内へ移動し続けると、トレー２０の後縁部と筐体１０の前縁部との間で、前記フレキシブルケーブル４０のはみ出た部分（図６（ｂ）に矢印で示す）を挟んでしまうという問題が生ずる。このように、フレキシブルケーブル４０が挟まれた場合、トレー２０が完全に筐体１０内に収納されないばかりか、フレキシブルケーブル４０自体に損傷を与えてしまうという問題点がある。
【００２６】
これに対して、上記フレキシブルケーブル４０に補強部である補強フィルム５０（図６（ｃ）に矢印で示す）を設けた場合、フレキシブルケーブル４０は、その屈曲部において剛性が向上しているので、図６（ｃ）に示すように、補強フィルム５０が添着された部分が曲がり難い状態となっており、その結果、上記図６（ａ）に示したように、トレー６が、ディスクイジェクト位置（第１の位置）から筐体１０側に収納されていく際、フレキシブルケーブル４０がトレー２０の後縁部と筐体１０の前縁部との隙間からはみ出し、これによって、トレー２０と筐体１０とに挟まれることが無くなる。すなわち、フレキシブルケーブル４０は、トレー２０の筐体１０内への収納に従って、確実に、屈曲部４０ｂを筐体１０内の空間内で移動させながら、トレー２０がディスク再生位置（第２の位置）に来るまで、筐体４内に収納されたままに保持することが可能となる。
【００２７】
しかしながら、その際、補強部５０での撓み具合が小さいで、フレキシブルケーブル４０は、筐体１０の内面１０ａとは接触せず、あるいは接触しても接触圧は微小となる。しかしながら、その際、添付の図５に示すように、フレキシブルケーブル４０は、屈曲する際、その補強部（フィルム）５０の端部においてその撓みが大きくなってしまう。即ち、補強部（フィルム）５０の働きにより、屈曲する際、その端部において応力が集中してしまう。そのため、上記トレー２０の開閉動作を多数回重ねた場合、当該応力の集中部分である補強部（フィルム）５０の端部において、フレキシブルケーブル４０が断線し易い状態となってしまう。
【００２８】
そこで、上記フレキシブルケーブル４０の屈曲部４０ｂの一部に形成する補強部（フィルム）５０の端部を、更に、屈曲する際の応力を分散する形状に形成する。具体的には、添付の図１に示すように、上記補強部（フィルム）５０の端部を斜めに傾斜させ（図１（ａ））、又は、その端部を波形に形成し（図１（ｂ））、もって、補強部（フィルム）５０の端部におけるフレキシブルケーブル４０への応力の集中を低減する。尚、この補強部（フィルム）５０の材料としては、やはり、ポリイミド、ポリエステル、ポリウレタン、アクリル等が使用されるが、光ディスク装置の使用温度、製造コスト等を考慮して適宜、材料を選択することが望ましい。また、特に、図１（ｂ）に示した端部に形成する波形は、本例で示したように、必ずしも、円弧による波形に限らず、例えば、三角形や四角形によって波形に形成するものであってもよい。
【００２９】
また、端部に形成した波形形状だけではなく、更に、上記補強フィルム５０は、例えば、上記特許文献２〜４によって知られる端子部補強のためのフィルム（通常、１００μｍ以上）とは異なり、その厚さを、フレキシブルケーブル４０の厚さ（通常、２０〜３０μｍ程度）の１．５倍程度か、これと等しく、又は、その半分（１．５〜０．５倍）程度の厚さにすることが好ましい。更には、上記補強フィルム５０の波形形状に形成する端部は、上記トレー２０が第１の位置から第２の位置に至る略中間位置に在る時に、上記フレキシブルケーブル４０が屈曲する位置に対応して設定することが好ましい。更に、上記補強フィルム５０の端部に形成する波形形状は、添付の図８（ａ）に示すように、上記フレキシブルケーブル４０の幅方向全体に、約０．５ｍｍ〜１０ｍｍの高さ（ｄ）で形成することが好ましく、特に、０．５ｍｍ〜２ｍｍの高さ（ｄ）で形成することが好ましい。また、上記補強フィルム５０の端面を傾斜させた場合、添付の図８（ｂ）に示すように、上記フレキシブルケーブル４０の幅方向全体に０．５ｍｍ〜１５ｍｍの高さ（ｄ）で形成することが好ましい。
【００３０】
添付の図７には、上記図１（ａ）及び（ｂ）に示した補強フィルム５０を添着したフレキシブルケーブル４０について行った耐久試験の結果を示す。なお、ここで「現行品」とは、上記補強フィルム５０の端部を、フレキシブルケーブル４０の延びる方向に垂直な直線としたフィルムであり、これに対して、「改善品１」は、上記図１（ａ）示した補強フィルム５０をフレキシブルケーブル４０に添着したものを使用した場合、そして、「改善品２」は、上記図１（ｂ）に示した補強フィルム５０をフレキシブルケーブル４０に添着したものを使用した場合について、それぞれ、示している。
【００３１】
この図７に示すグラフからも明らかなように、上記の「現行品」では、約１８０００回程度のトレーの開閉の繰り返しにより、応力の集中部分である補強フィルム５０の端部において、フレキシブルケーブル４０が断線た状態となってしまう。これに対して、「改善品１」や「改善品２」では、約３５０００回を越えて、やっと、フレキシブルケーブル４０に断線が生じ、特に、「改善品２」では、約４００００回を越えて、やっと、フレキシブルケーブル４０に断線が生じた。
【００３２】
なお、上記の実施の形態では、フレキシブルケーブル４０の補強部５０として、フィルムを利用したものとして説明したが、しかしながら、これに代え、例えば、フレキシブルケーブルの一方の面にシルクスクリーン印刷により塗料を印刷して形成することも可能である。また、フレキシブルケーブルの一方の面に限らず、その両面に補強部５０を形成することも可能である。
【００３３】
即ち、本発明になる光ディスク装置によれば、光ディスク装置に具備されるフレキシブルケーブルの補強部に、フレキシブルケーブルが屈曲する際の応力を分散する形状に形成した補強用膜を形成してその剛性を向上させていることから、トレーの筐体内への収納時に筐体内面とフレキシブルケーブルとの接触による摩擦力の抵抗で、トレーと筐体との間隙からフレキシブルケーブルがはみ出て、トレーと筐体とに挟まれてフレキシブルケーブルが損傷されることなく、かつ、当トレーの開閉（挿入／排出）の繰り返しによっても、該補強部によってフレキシブルケーブルへの応力が集中して断線状態となってしまうことがない。そのため、トレーの挿入／排出が繰り返される光ディスク装置において、その寿命を改善することが可能となる。
【００３４】
尚、上記の説明では、光ディスクがＣＤ−ＲＯＭであり、ディスクの情報を光学的に読み取るノート型パーソナルコンピュータの光ディスクドライブ装置を一例として説明したが、しかしながら、本発明は、上記ＣＤ−ＲＯＭドライブ装置に限らず、その他のディスクドライブ装置、例えばＣＤ、ＤＶＤ、更には、磁気ディスク、光ディスク、光磁気ディスク等を記録再生する装置においても適用することが可能である。また、上記例では、トレー２０を手動操作により移動するものとして説明したが、これに限らず、本発明は、モータ等の駆動手段によりトレー２０を摺動させる構成の光ディスク装置にも適用可能である。
【図面の簡単な説明】
【００３５】
【図１】本発明の実施の形態である光ディスク装置に使用される、屈曲する際の応力を分散する形状に形成した補強用膜を形成したフレキシブルケーブルの具体的な例を示す平面図である。
【図２】上記本発明の実施の形態になる光ディスク装置の全体の内部構成を示す斜視図である。
【図３】上記応力を分散する形状に形成した補強用膜を形成したフレキシブルケーブルの構造を説明する平面図である。
【図４】上記本発明の実施の形態になる光ディスク装置において、トレーを筐体内部に収納する途中の状態を示す斜視図である。
【図５】上記図５に示す光ディスク装置内において屈曲されるフレキシブルケーブルの状態を示す斜視図である。
【図６】上記光ディスク装置内において屈曲されるフレキシブルケーブルの種々の状態を示す断面図である。
【図７】上記図１に示した本発明の補強用膜を形成したフレキシブルケーブルにより得られた耐久試験の結果を示す図である。
【図８】上記図１に示した本発明の補強用膜のより詳細な構造を示す一部拡大平面図である。
【符号の説明】
【００３６】
１００  光ディスク装置
１０  筐体（シャーシ）
１１トレー摺動機構（レール）
１３  メイン基板
２０  ディスクトレー
３０  ピックアップ
３１  モータ
３４  ターンテーブル
４０  フレキシブルケーブル
４０ａ  フレキシブルケーブルの固定部
４０ｂ  フレキシブルケーブルの可動部
４０ｃ  フレキシブルケーブルの連結部
５０  補強部（フィルム）
４  サーボ信号処理部
【図１】
2006018870.tif 000003
【図２】
2006018870.tif 000004
【図３】
2006018870.tif 000005
【図４】
2006018870.tif 000006
【図５】
2006018870.tif 000007
【図６】
2006018870.tif 000008
【図７】
2006018870.tif 000009
【図８】
2006018870.tif 000010